(57)【特許請求の範囲】
【請求項１】
地上から露出する納骨室が形成された納骨部と、この納骨部の上に設けられる塔部とを具え、この塔部は前記納骨部に固定される外側部と、この外側部に囲まれる内側部とを有する墓であって、
前記納骨部に回動自在に枢着されて前記納骨部の正面側から前記納骨室を開閉するための扉と、
前記納骨室内に回転自在に収納されて骨壺を載置するための載置面を持った骨壺載置テーブルと、
前記外側部の正面側に形成されて前記内側部の外周の一部と対向する窓部と
を有し、外周に文字図形が形成される前記内側部は、前記骨壺載置テーブルと一体に連結されて前記外側部に対して回転自在に保持されていることを特徴とする墓。
【請求項２】
前記骨壺載置テーブルの前記載置面をその回転方向に対して複数に仕切る複数の仕切り壁が放射状に設けられていることを特徴とする請求項１に記載の墓。
【請求項３】
納骨室の正面を向く前記載置面と、前記窓部に臨む前記内側部の外周に形成される文字図形とが対応していることを特徴とする請求項２に記載の墓。
【請求項４】
少なくとも下部が地中に埋設されて納骨室を形成する納骨部と、この納骨部の地上部分に設けられて前記納骨室の前側を上方から開閉可能な蓋板および前記納骨部の後ろ側に位置する塔部とを具え、この塔部は前記納骨部に固定される外側部と、この外側部に囲まれる内側部とを有する墓であって、
前記納骨室内に回転自在に収納されて骨壺を載置するための載置面を持った骨壺載置テーブルと、
前記外側部の正面側に形成されて前記内側部の外周の一部と対向する窓部と
を有し、外周に文字図形が形成される前記内側部は、前記骨壺載置テーブルと一体に連結されて前記外側部に対して回転自在に保持されていることを特徴とする墓。
【請求項５】
前記骨壺載置テーブルの前記載置面をその回転方向に対して複数に仕切る複数の仕切り壁が放射状に設けられていることを特徴とする請求項４に記載の墓。
【請求項６】
納骨室の正面を向く前記載置面と、前記窓部に臨む前記内側部の外周に形成される文字図形とが対応していることを特徴とする請求項５に記載の墓。
【請求項７】
前記骨壺載置テーブルの前記載置面は、上下に相隔てて複数設けられていることを特徴とする請求項４から請求項６の何れかに記載の墓。
【請求項８】
下方側に位置すると共に前記仕切り壁によってそれぞれ仕切られる複数の前記載置面は、固定部と、この固定部に上に重ねられると共に前記納骨室の前側を向いた状態で前方に引き出し可能な摺動部とをそれぞれ有することを特徴とする請求項７に記載の墓。
【発明の詳細な説明】
【０００１】
【発明の属する技術分野】
本発明は、納骨が容易で機能的に優れた新奇な形態の墓に関する。
【０００２】
【従来の技術】
納骨室が地中に埋設された形態の墓にあっては、納骨に際して蓋板をずらし、作業者が屈み込んで納骨室の棚に骨壺を納めるようにしているが、納骨室の棚にすでに沢山の骨壺が納められている場合には、すでに納められている骨壺を棚の奥の方にずらして新たな骨壺を納めたり、あるいはすでに納められている骨壺の奥に新たな骨壺を納める必要がある。
【０００３】
一方、戒名や墓碑銘あるいは彫像などの文字図形を外周面に形成した塔部が基壇に対して回転できるようにした形態の墓が知られており、これは墓参の趣旨に応じた適当な文字図形が墓参者の正面を向くように、塔部を回転させるものである。
【０００４】
【発明が解決しようとする課題】
納骨室が地中に埋設された形態の墓にあって、納骨に際して納骨室の棚にすでに沢山の骨壺が納められている場合、すでに納められている骨壺を棚の奥の方にずらして新たな骨壺を納めたり、あるいはすでに納められている骨壺の奥に新たな骨壺を納める必要がある。このような作業を屈み込んだ姿勢で行うことは、特に納骨室が狭い場合には作業性が極めて悪くなり、納骨式の雰囲気を損なわないような慎重さが要求される。
【０００５】
墓の基壇に対して塔部を回転できるようにしたものでは、墓参の趣旨に合致した文字図形を墓参者の正面を向くように塔部を回転させることが一般的であるが、特に所定の故人に対する墓参の場合には、納骨室にすでに納められた複数の骨壺のうち、特定の故人の骨壺が墓参者の正面に位置できるようにした場合、墓参者の墓参に対する満足感をより一層充足させることができると思われる。この点で、従来の墓は機能的に満足できるものではなかった。
【０００６】
【発明の目的】
本発明の目的は、納骨が容易で機能的に優れた新奇な形態の墓を提供することにある。
【０００７】
【課題を解決するための手段】
本発明の第１の形態は、地上から露出する納骨室が形成された納骨部と、この納骨部の上に設けられる塔部とを具え、この塔部は前記納骨部に固定される外側部と、この外側部に囲まれる内側部とを有する墓であって、前記納骨部に回動自在に枢着されて前記納骨部の正面側から前記納骨室を開閉するための扉と、前記納骨室内に回転自在に収納されて骨壺を載置するための載置面を持った骨壺載置テーブルと、前記外側部の正面側に形成されて前記内側部の外周の一部と対向する窓部とを有し、外周に文字図形が形成される前記内側部は、前記骨壺載置テーブルと一体に連結されて前記外側部に対して回転自在に保持されていることを特徴とする墓にある。
【０００８】
納骨に際しては、扉を開けて納骨部の正面側から骨壺載置テーブルの載置面に骨壺を納める。この骨壺載置テーブルの正面にすでに骨壺が納められている場合には、骨壺載置テーブルを回転して空の状態の載置面を正面に移動させ、ここに骨壺を納めて扉を閉じる。
【０００９】
骨壺載置テーブルの回転に伴って内側部も一体的に回転し、その外周に形成された別な文字図形が窓部に現れる。
【００１０】
本発明の第２の形態は、少なくとも下部が地中に埋設されて納骨室を形成する納骨部と、この納骨部の地上部分に設けられて前記納骨室の前側を上方から開閉可能な蓋板および前記納骨部の後ろ側に位置する塔部とを具え、この塔部は前記納骨部に固定される外側部と、この外側部に囲まれる内側部とを有する墓であって、前記納骨室内に回転自在に収納されて骨壺を載置するための載置面を持った骨壺載置テーブルと、前記外側部の正面側に形成されて前記内側部の外周の一部と対向する窓部とを有し、外周に文字図形が形成される前記内側部は、前記骨壺載置テーブルと一体に連結されて前記外側部に対して回転自在に保持されていることを特徴とする墓にある。
【００１１】
納骨に際しては、蓋板をずらして正面側を向く骨壺載置テーブルの載置面に骨壺を納める。この骨壺載置テーブルの正面にすでに骨壺が納められている場合には、骨壺載置テーブルを回転して空の状態の載置面を正面に移動させ、ここに骨壺を納めて蓋板を元の位置に戻す。
【００１２】
骨壺載置テーブルの回転に伴って内側部も一体的に回転し、その外周に形成された別な文字図形が窓部に現れる。
【００１３】
【発明の実施の形態】
第１の形態の本発明による墓において、骨壺載置テーブルの載置面をその回転方向に対して複数に仕切る複数の仕切り壁が放射状に設けられていてもよく、この場合、納骨室の正面を向く載置面と、窓部に臨む内側部の外周に形成される文字図形とが対応することが望ましい。また、骨壺載置テーブルの載置面は、上下に相隔てて複数設けられていてもよく、窓部を開閉する扉が外側部に回動自在に枢着されていてもよい。
【００１４】
一方、第２の形態の本発明による墓において、骨壺載置テーブルの載置面をその回転方向に対して複数に仕切る複数の仕切り壁が放射状に設けられていてもよく、この場合、納骨室の正面を向く載置面と、窓部に臨む内側部の外周に形成される文字図形とが対応することが望ましい。また、骨壺載置テーブルの載置面は、上下に相隔てて複数設けられていてもよく、この場合、下方側に位置すると共に仕切り壁によってそれぞれ仕切られる複数の載置面は、固定部と、この固定部に上に重ねられると共に納骨室の前側を向いた状態で前方に引き出し可能な摺動部とをそれぞれ有することが望ましい。さらに、窓部を開閉する扉が外側部に回動自在に枢着されていてもよい。
【００１５】
納骨室の前側の下方側に位置する載置面に骨壺を納める場合には、この載置面の摺動部を前方に引き出し、骨壺をこの摺動部の上に載せ、この状態で摺動部を骨壺と共に元の固定部の上に押し戻す。
【００１６】
【実施例】
本発明による墓の一実施例について、その外観を表す図１, 図２およびその正面形状を表す図３およびそのIV−IV矢視断面, Ｖ−Ｖ矢視断面形状をそれぞれ表す図４, 図５およびそのVI−VI矢視断面形状を表す図６を参照しながら詳細に説明する。
【００１７】
すなわち、床１１に設置される基壇１２の上には、左右一対の側壁部１３Ｒ, １３Ｌと、後壁部１４とを有する納骨部１５の枠状をなす壁板が固定され、さらにこの壁板の上には、納骨部１５の天板１６が重ねられている。左右一対の側壁部１３Ｒ, １３Ｌの前端には、左右一対の納骨用扉１７Ｒ, １７Ｌの基端部の上下両端部が天板１６と基壇１２とに回動自在に保持された状態で配置されている。
【００１８】
一方、天板１６の上には、本発明の外側部を構成する円筒状の外塔１８が設置され、この外塔１８の上には屋根板１９が重ね合わされ、天板１６と一体化されている。外塔１８の正面側には、その周方向に沿ってほぼ８０度程度の幅の窓部２０が形成され、この窓部２０の左右両端部には、左右一対の墓参用扉２１Ｒ, ２１Ｌの基端部の上下両端部が回動自在に保持された状態で組み付けられている。
【００１９】
外塔１８と同心状をなすようにこの外塔１８を貫通する回転軸２２の上端は、軸受２３を介して屋根板１９に回転自在に支持され、天板１６を貫通するこの回転軸２２の下端は、基壇１２に軸受２４を介して回転自在に支持されている。外塔１８内で回転軸２２に一体的に連結された本発明の内側部を構成する円筒状の内塔２５の下端部は、軸受２６を介して天板１６に対し回転自在に保持されている。外塔１８および屋根板１９などとで本発明の塔部２７を構成する内塔２５の外周面には、墓碑銘や彫像あるいは戒名などの文字図形２８が形成される。この内塔２５の外径は、外塔１８の内径よりも多少小さめに設定されており、墓参用扉２１Ｒ, ２１Ｌを開いた状態で、窓部２０から露出する内塔２５の外周面を墓参者が操作することにより、この内塔２５を外塔１８に対して回転軸２２と共に回転させることができるようになっている。
【００２０】
なお、塔部２７の形態は、本実施例に限らず、特許請求の範囲に記載された構成を包含するものであれば、例えば五輪塔などをもじった形態のものも適宜採用することができる。
【００２１】
基壇１２と壁板と天板１６と納骨用扉１７Ｒ, １７Ｌとで囲まれた納骨室２９内には、骨壺３０が載置される載置面３１を有する上下２段の骨壺載置テーブル３２, ３３が収納され、それぞれ回転軸２２に一体的に連結された状態となっている。この場合、スペースなどの点で上側の骨壺載置テーブル（以下、これを上部骨壺載置テーブルと呼称する）３２を省略し、下側の骨壺載置テーブル（以下、これを下部骨壺載置テーブルと呼称する）３３のみ設けるようにしてもよい。壁板の内周には、上部骨壺載置テーブル３２の直下に突出するリブ部３４が形成され、このリブ部３４の上部骨壺載置テーブル３２と重なり合う部分には、ステンレス鋼あるいはセラミックス製の球体３５が回転自在に保持され、上部骨壺載置テーブル３２の裏面に当接した状態となっている。これら球体３５に対して上部骨壺載置テーブル３２の裏面が転接することにより、その回転が円滑に行われる。
【００２２】
前記骨壺載置テーブル３２, ３３には、その回転方向に対して載置面３１を複数等分（本実施例では４等分）する複数枚の仕切り壁３６が放射状に固定されており、骨壺３０はこれら仕切り壁３６によって囲まれた載置面３１にそれぞれ載置することができる。
【００２３】
従って、納骨に際しては、納骨用扉１７Ｒ, １７Ｌを開いて前方に位置する上部骨壺載置テーブル３２の載置面３１か、あるいはその下方の下部骨壺載置テーブル３３の載置面３１に骨壺３０を納める。これらの部分に骨壺３０がすでに納められている場合には、骨壺載置テーブル３２, ３３を回して空となった載置面３１の部分を前方に移動させ、ここに骨壺３０を納めて納骨用扉１７Ｒ, １７Ｌを閉じればよい。
【００２４】
この場合、納骨室２９の前方に位置する骨壺３０に由来した故人の戒名や墓碑銘あるいは彫像などの文字図形２８を窓部２０から露出する内塔２５の外周面に形成しておけば、墓参の際に墓参用扉２１Ｒ, ２１Ｌを開けて内塔２５を回し、所望の文字図形２８を窓部２０から望めるようにすることにより、これに対応した骨壺３０を自動的に納骨室２９の前方へ移動させておくことができる。
【００２５】
なお、内塔２５の外周面の他に、仕切り壁３６の表面にこの仕切り壁３６で囲まれた載置面３１に納められる骨壺３０に由来した故人の戒名や墓碑銘あるいは彫像などの文字図形２８を形成しておくことも可能である。さらに、納骨用扉１７Ｒ, １７Ｌや墓参用扉２１Ｒ, ２１Ｌの前面にも文字図形２８を形成するようにしてもよい。
【００２６】
上述した実施例では、納骨部１５を地上に露出させた形態の墓について説明したが、納骨部１５を地中に埋設した一般的な形態の墓に応用することも可能である。このような形態の墓の一実施例について、図７〜図１１を参照しながら詳細に説明するが、先の実施例と同一機能の部分には、これと同一符号を記すに止め、重複する説明は省略するものとする。
【００２７】
すなわち、本実施例の外観を表す図７およびその断面構造を表す図８および下部骨壺載置テーブルの一部を抽出した平面形状を表す図９およびそのＸ−Ｘ矢視断面構造を表す図１０および骨壺載置テーブルの部分の外観を表す図１１に示すように、下部が地中に埋め込まれる納骨部１５は、底板部３７と、前壁部３８と左右一対の側壁部１３Ｒ, １３Ｌと後壁部１４とからなる矩形の枠状をなす壁板部とを有し、地上から露出する壁板部の上端面には、蓋板３９と基壇１２とが前後に並べて配設され、納骨部１５に形成される納骨室２９を塞いだ状態となっている。蓋板３９は必要に応じて壁板部の上端から持ち上げたりしてずらすことが可能であり、これによって形成される開口部分を介して地上から納骨室２９内に骨壺３０を納めることができるようになっている。
【００２８】
前記基壇１２の上には、外塔１８が直接設置され、この外塔１８の上には屋根板１９が重ね合わされ、基壇１２と一体化されている。基壇１２を貫通する回転軸２２の下端は、底板部３７に軸受２４を介して回転自在に支持されている。
【００２９】
仕切り壁３６で挟まれた下部骨壺載置テーブル３３のそれぞれ載置部３１は、固定部４０と、この固定部４０の上を仕切り壁３６の一方に沿って摺動可能な摺動部４１とを有し、固定部４０の上には、摺動部４１の摺動方向に沿って延びる矩形断面の摺動規制溝４２と、あり溝４３とが相互に平行に形成されている。また、摺動部４１を引き出すための取手部４４が形成された摺動部４１には、摺動規制溝４２に連通する円形の球体保持孔４５が穿設され、さらにその裏面には、あり溝４３と対応したあり４６が一体的に形成されている。そして、この摺動部４１のあり４６が固定部４０のあり溝４３に対して摺動自在に係合するように、固定部４０の上に摺動部４１が重ね合わされ、さらに球体保持孔４５から摺動規制溝４２内にステンレス鋼やセラミックス製の球体４７が落とし込まれる。
【００３０】
本実施例における摺動規制溝４２の深さは、球体４７の半径とほぼ同じに設定され、その幅（図１０中、左右方向の長さ）は、球体保持孔４５の直径と同じように、球体４７の直径よりも多少大きめに設定されている。
【００３１】
従って、摺動規制溝４２の長さに対応した量だけ摺動部４１が固定部４０に対して摺動可能となっており、固定部４０から摺動部４１の抜け外れが防止される。このような摺動部４１を下部骨壺載置テーブル３３に形成するのは、地上から上部骨壺載置テーブル３２の下に骨壺３０を入れ込む操作が面倒なためであるが、この上部骨壺載置テーブル３２にも形成するようにしてもよい。
【００３２】
従って、納骨に際しては、蓋板３９をずらして納骨室２９を開け、納骨室２９の前方に位置する上部骨壺載置テーブル３２の載置面３１か、あるいはその下方の下部骨壺載置テーブル３３の載置面３１に骨壺３０を納める。下部骨壺載置テーブル３３に骨壺３０を納める場合には、取手部４４を掴んで摺動部４１を前方に引き出し、この摺動部４１の上に骨壺３０を載せた後、摺動部４１を元の位置に押し込めばよい。これらの部分に骨壺３０がすでに納められている場合には、骨壺載置テーブル３２, ３３を回して空となった載置面３１の部分を納骨室２９の前方に移動させ、ここに骨壺３０を納めた後、蓋板３９を再び納骨部１５の上端に重ねて納骨室２９を塞げばよい。
【００３３】
この場合、先の実施例と同様に、納骨室２９の前方に位置する骨壺３０に由来した故人の戒名や墓碑銘あるいは彫像などの文字図形２８を窓部２０から露出する内塔２５の外周面に形成しておけば、墓参の際に墓参用扉２１Ｒ, ２１Ｌを開けて内塔２５を回し、所望の文字図形２８を窓部２０から望めるようにすることにより、これに対応した骨壺３０を自動的に納骨室２９の前方へ移動させておくことができる。また、先の実施例と同様に、墓参用扉２１Ｒ, ２１Ｌの前面に文字図形２８を形成するようにしてもよい。
【００３４】
なお、摺動部４１は、これを操作した時に固定部４０から外れたり、あるいは落下したりしないような構造であることが望ましく、上述した実施例に限るものではない。
【００３５】
【発明の効果】
本発明の墓によると、塔部の内側部と骨壺載置テーブルとを一体的に連結してこれらを回転できるようにしたので、特定の故人に対応した文字図形が墓参者の正面を向くように、塔部の内側部を回転させた場合、納骨室にすでに納められた複数の骨壺のうち、この故人の骨壺が墓参者の正面に位置できるようにしたので、墓参者の墓参に対する満足感をより一層充足させることができ、機能的に優れた墓を提供することができる。
【００３６】
また、納骨室内の骨壺載置テーブルを回転できるようにして納骨し易くしたので、納骨室が狭い場合でも納骨作業が容易となり、納骨式の雰囲気を損なうことなく、容易に納骨を行うことができる。
【図面の簡単な説明】
【図１】図２と共に本発明による墓の一実施例の外観を表す斜視図であり、扉を開いた状態を示す。
【図２】図１と共に本発明による墓の一実施例の外観を表す斜視図であり、扉を閉じた状態を示す。
【図３】図１および図２に示した実施例の正面図である。
【図４】図３中のIV−IV矢視断面図である。
【図５】図３中のＶ−Ｖ矢視断面図である。
【図６】図４中のVI−VI矢視断面図である。
【図７】本発明による墓の他の実施例の外観を表す斜視図である。
【図８】図７に示した実施例の内部構造を表す断面図である。
【図９】図８中のIX−IX矢視断面図である。
【図１０】図９中のＸ−Ｘ矢視断面図である。
【図１１】図７〜図１０に示した実施例における骨壺載置テーブルの部分の外観を表す斜視図である。
【符号の説明】
１１  床
１２  基壇
１３Ｒ, １３Ｌ  側壁部
１４  後壁部
１５  納骨部
１６  天板
１７Ｒ, １７Ｌ  納骨用扉
１８  外塔
１９  屋根板
２０  窓部
２１Ｒ, ２１Ｌ  墓参用扉
２２  回転軸
２３, ２４  軸受
２５  内塔
２６  軸受
２７  塔部
２８  文字図形
２９  納骨室
３０  骨壺
３１  載置面
３２  上部骨壺載置テーブル
３３  下部骨壺載置テーブル
３４  リブ部
３５  球体
３６  仕切り壁
３７  底板部
３８  前壁部
３９  蓋板
４０  固定部
４１  摺動部
４２  摺動規制溝
４３  あり溝
４４  取手部
４５  球体保持孔
４６  あり
４７  球体
【図１】
0003746852.tif 000002
【図２】
0003746852.tif 000003
【図３】
0003746852.tif 000004
【図４】
0003746852.tif 000005
【図５】
0003746852.tif 000006
【図６】
0003746852.tif 000007
【図７】
0003746852.tif 000008
【図８】
0003746852.tif 000009
【図９】
0003746852.tif 000010
【図１０】
0003746852.tif 000011
【図１１】
0003746852.tif 000012